【手続補正書】
【提出日】平成15年8月19日(2003.8.19)
【手続補正１】
【補正対象書類名】明細書
【補正対象項目名】特許請求の範囲
【補正方法】変更
【補正の内容】
【特許請求の範囲】
【請求項１】
入力信号により駆動され、出力信号を発生する出力信号発生回路であって、
前記入力信号に接続可能な２つの入力点と１つの出力点を有するセンサであって、可動媒体と、前記回路内で接続された２つの信号発生素子とを備え、該信号発生素子の各々が該信号発生素子に対する前記可動媒体の位置により決定されかつ前記出力点に接続される中間出力信号を発生する、センサと、
前記出力点が接続される１つの入力と前記２つの入力点の各々に接続される出力とを有する増幅器と、を備え、
前記可動媒体の位置に相関する前記出力信号が発生される、
ことを特徴とする出力信号発生回路。
【請求項２】
入力信号により駆動され、出力信号を発生する出力信号発生回路であって、
前記入力信号に接続可能な２つの入力点と１つの出力点を有するセンサと、
前記出力点が接続される１つの入力と前記２つの入力点の各々に接続される出力とを有する増幅器と、を備え、
前記センサは液体の媒体センサである、
ことを特徴とする出力信号発生回路。
【請求項３】
前記増幅器は抵抗性手段を介して前記２つの入力点の各々に接続される請求項２に記載の出力信号発生回路。
【請求項４】
前記液体の媒体センサは、
互いに間隔をもって平行に配置される第１と第２の導電性板と、
前記第１の導電性板が２つに分割される差動板であることと、
前記第１と第２の導電性板を接続する非導電性の周囲壁部と、
前記第１と第２の導電性板と前記周囲壁部が内部の空洞を規定することと、
前記第１と第２の導電性板を部分的に覆う前記空洞内の液体と、
を備える請求項３に記載の出力信号発生回路。
【請求項５】
前記液体はアルコールをベースとする請求項４に記載の出力信号発生回路。
【請求項６】
前記メッキされたスルーホールは密閉され、前記空洞内における液体の量は一定であり、それゆえ出力信号発生回路からの出力は前記センサの傾斜角度に比例する請求項４に記載の出力信号発生回路。
【請求項７】
前記センサはタンク内へ置かれ、前記液体のレベルは前記タンク内の液体のレベルに比例して変更することができ、それゆえ出力信号発生回路からの出力は前記タンク内の液体のレベルに比例する請求項４に記載の出力信号発生回路。
【請求項８】
前記導電性板の幾何学的形状は前記タンクの形状に対し特有な比例出力信号を発生するよう変更される請求項７に記載の出力信号発生回路。
【請求項９】
前記液体はイソプロピルアルコールである請求項４に記載の出力信号発生回路。
【請求項１０】
前記空洞内に液体を導入するため前記第２の導電性板内にメッキされたスルーホールを備える請求項４に記載の出力信号発生回路。
【請求項１１】
前記非導電性周囲壁部は液体の凹凸表面からよりよく開放するため内部表面に沿った環状の凹面の窪みを備える請求項４に記載の出力信号発生回路。
【請求項１２】
前記非導電性周囲壁部はＰＶＣからなる請求項４に記載の出力信号発生回路。
【請求項１３】
前記第１と第２の導電性板は円形である請求項４に記載の出力信号発生回路。
【請求項１４】
前記差動板の各区分は同一形状をし、
前記差動板の各区分は半球形状をし、
前記出力信号は前記液体の媒体センサの角度変位に比例する請求項１３に記載の出力信号発生回路。
【請求項１５】
前記第１と第２の導電性板は直方形である請求項４に記載の出力信号発生回路。
【請求項１６】
前記差動板の各区分は同一形状をし、
前記差動板の各区分は三角形状をし、
前記出力信号は前記液体の媒体センサの液体のレベルに比例する請求項１５に記載の出力信号発生回路。
【請求項１７】
前記差動板の各区分は非導電性コーティングでコーティングされる請求項４に記載の出力信号発生回路。
【請求項１８】
前記非導電性コーティングはポリマーである請求項１７に記載の出力信号発生回路。
【請求項１９】
前記ポリマーはパリレンである請求項１８に記載の出力信号発生回路。
【請求項２０】
前記増幅器はコモンモード増幅器である請求項４に記載の出力信号発生回路。
【請求項２１】
第１と第２の両面回路板と、
前記第１の導電性板は前記第１の両面回路板の片側に取り付けられることと、  前記第２の導電性板は前記第２の両面回路板の片側に取り付けられることと、  前記第１の導電性板の各区分を前記第１の両面回路板の他方の側へ接続するための前記第１の両面回路板における２つのメッキされたスルーホールと、
前記第２の導電性板の各区分を前記第２の両面回路板の他方の側へ接続するための前記第１の両面回路板における１つのメッキされたスルーホールと、
を備える請求項４に記載の出力信号発生回路。
【請求項２２】
前記増幅器は前記両面回路板の１つの前記他方の側へ取り付けられる請求項２１に記載の出力信号発生回路。
【請求項２３】
前記抵抗性は前記両面回路板の１つの前記他方の側へ取り付ける手段である請求項２２に記載の出力信号発生回路。
【請求項２４】
入力信号により駆動され、出力信号を発生する出力信号発生回路であって、
前記入力信号に接続可能な１つの入力点と２つの出力点を有するセンサと、
前記２つの出力点の各々が接続される１つの入力と前記入力点に接続される出力とを有する増幅器と、を備え、
前記センサは液体の媒体センサである、
ことを特徴とする出力信号発生回路。
【請求項２５】
前記入力点は抵抗性手段を介して前記増幅器へ接続される請求項２４に記載の出力信号発生回路。
【請求項２６】
前記センサは液体振り子である請求項２４に記載の出力信号発生回路。
【請求項２７】
前記液体の媒体センサは、
互いに間隔をもって平行に配置される第１と第２の導電性板と、
前記第１の導電性板が２つに分割される差動板であることと、
前記第１と第２の導電性板を接続する非導電性の周囲壁部と、
前記第１と第２の導電性板と前記周囲壁部が内部の空洞を規定することと、
前記第１と第２の導電性板を部分的に覆う前記空洞内の液体と、
を備える請求項２４記載の出力信号発生回路。
【請求項２８】
前記液体はアルコールをベースとする請求項２７に記載の出力信号発生回路。
【請求項２９】
前記液体はイソプロピルアルコールである請求項２７に記載の出力信号発生回路。
【請求項３０】
前記空洞内に液体を導入するため前記第２の導電性板内にメッキされたスルーホールを備える請求項２７に記載の出力信号発生回路。
【請求項３１】
前記非導電性周囲壁部は液体の凹凸表面からよりよく開放するため内部表面に沿った環状の凹面の窪みを備える請求項２７に記載の出力信号発生回路。
【請求項３２】
前記非導電性周囲壁部はＰＶＣからなる請求項２７に記載の出力信号発生回路。
【請求項３３】
前記第１と第２の導電性板は円形である請求項２７に記載の出力信号発生回路。
【請求項３４】
前記差動板の各区分は半球形状をする請求項２７に記載の出力信号発生回路。
【請求項３５】
前記差動板の各区分は非導電性コーティングでコーティングされる請求項２７に記載の出力信号発生回路。
【請求項３６】
前記センサは誘導性センサである、
請求項１に記載の出力信号発生回路。
【請求項３７】
前記信号発生素子の各々は、
コアと、
前記コアを囲むコイルと、を備え、
前記可動媒体は線形要素である、
請求項１に記載の出力信号発生回路。
【請求項３８】
前記信号発生素子の各々は、
コア部材と、
前記コア部材を囲み、前記中間出力信号の各々に相関する電流を運ぶことの可能なコイルと、を備え、
前記可動媒体は線形素子であり、
前記コイル内の各電流は前記線形素子の位置により決定される、
請求項３６に記載の出力信号発生回路。
【手続補正２】
【補正対象書類名】図面
【補正対象項目名】図１
【補正方法】変更
【補正の内容】
【図１】
1997119832.tif 000001
【手続補正３】
【補正対象書類名】図面
【補正対象項目名】図２
【補正方法】変更
【補正の内容】
【図２】
1997119832.tif 000002